(57)【要約】【課題】主な目的は充電完了までの時間を把握することにあり、副次的な目的は充電完了後の余剰電力を有効活用することができるエアロバイク型発電機を提供する。【解決手段】エアロバイク本体内に設けられ、ペダルの回転に連動して発電する発電機と、入力端が発電機の出力端に接続され、出力電流を制限する電流制限部と、電流制限部の出力端に接続された蓄電池の充電状態を検知し充電完了までの時間を予測する制御部と、蓄電池の充電状態及び充電完了予測時間を報知する報知部と、を備えた。【選択図】図１
0003169726.tif 000002
【実用新案登録請求の範囲】
【請求項１】
エアロバイク本体内に設けられ、ペダルの回転に連動して発電する発電機と、
入力端が前記発電機の出力端に接続され、出力電流を制限する電流制限部と、
前記電流制限部の出力端に接続された蓄電池の充電状態を検知し充電完了までの時間を予測する制御部と、
前記蓄電池の充電状態及び充電完了予測時間を報知する報知部と、
を備えたことを特徴とするエアロバイク型発電機。
【請求項２】
前記電流制限部の出力端は、携帯端末充電用コネクタ、電池ボックス端子、及び蓄電池充電用ＤＣジャックのいずれか一方もしくは全部であり、前記制御部は、前記携帯端末充電用コネクタ、前記電池ボックス端子、及び前記蓄電池充電用ＤＣジャックに接続された機器に対して順次給電するようにしたことを特徴とする請求項１に記載のエアロバイク型発電機。
【請求項３】
前記報知部は、充電状態に応じて色が変わる発光部、及び充電完了を知らせるメッセージを発する発音部を含むことを特徴とする請求項１に記載のエアロバイク型発電機。
【請求項４】
前記エアロバイク本体に扇風機を設け、前記制御部は、切換スイッチにより、前記蓄電池の充電完了後にのみ前記扇風機に駆動電圧を給電するか、充電中でも前記扇風機に駆動電圧を選択的に給電することを特徴とする請求項１から３のいずれか一項に記載のエアロバイク型発電機。
【請求項５】
前記エアロバイク本体にＤＣ／ＡＣインバータを設け、前記制御部は、切換スイッチにより前記蓄電池の充電完了後にのみ前記ＤＣ／ＡＣインバータに駆動電圧を給電するか、充電中でも前記ＤＣ／ＡＣインバータに駆動電圧を選択的に給電することを特徴とする請求項１から３のいずれか一項に記載のエアロバイク型発電機。
【考案の詳細な説明】
【技術分野】
【０００１】
本考案は、エアロバイク型発電機に関する。
【背景技術】
【０００２】
近年、電力需要の増大に伴い、電気機器の消費電力の抑制や省エネルギー化が要求されている。このため、商用電力以外の手段としてエアロバイクを用いて蓄電池を充電し、充電後の蓄電池で電気機器を作動させることが行われている（例えば、特許文献１参照）。
【０００３】
特許文献１に記載の発明は、トレーニング装置に関するものであり、使用者が、或る部位の筋力を高めるべく負荷が付与された操作部材を繰り返し動かすトレーニング装置であって、操作部材に接続された発電機と、発電機に接続された蓄電装置とを有し、操作部材に付与される負荷が発電機の発電時に生じる負荷からなり、使用者の運動により生じるエネルギーを蓄電装置に電力として蓄えるようにしたものである。
【先行技術文献】
【特許文献】
【０００４】
【特許文献１】特開２０００−３７４７６号公報
【考案の概要】
【考案が解決しようとする課題】
【０００５】
特許文献１に開示されている「トレーニング装置」は、充電状態を表示することについては記載されているものの、充電完了までどのくらいの時間があるかについては何ら記載もなく、また充電完了後の余剰発電電力を無駄にしていた。
【０００６】
本考案は、上記問題点に鑑みてなされたもので、主な目的は充電完了までの時間を把握することにあり、副次的な目的は充電完了後の余剰電力を有効活用することができるエアロバイク型発電機を提供することを目的とする。
【課題を解決するための手段】
【０００７】
上記課題を解決するため、請求項１に係る考案は、エアロバイク本体内に設けられ、ペダルの回転に連動して発電する発電機と、入力端が前記発電機の出力端に接続され、出力電流を制限する電流制限部と、前記電流制限部の出力端に接続された蓄電池の充電状態を検知し充電完了までの時間を予測する制御部と、前記蓄電池の充電状態及び充電完了予測時間を報知する報知部と、を備えたことを特徴とする。
【０００８】
請求項２に係る考案は、請求項１に記載の考案において、前記電流制限部の出力端は、携帯端末充電用コネクタ、電池ボックス端子、及び蓄電池充電用ＤＣジャックのいずれか一方もしくは全部であり、前記制御部は、前記携帯端末充電用コネクタ、前記電池ボックス端子、及び前記蓄電池充電用ＤＣジャックに接続された機器に対して順次給電するようにしたことを特徴とする。
【０００９】
請求項３に係る考案は、請求項１に記載の考案において、前記報知部は、充電状態に応じて色が変わる発光部、及び充電完了を知らせるメッセージを発する発音部を含むことを特徴とする。
【００１０】
請求項４に係る考案は、請求項１から３のいずれか一項に記載の考案において、前記エアロバイク本体に扇風機を設け、前記制御部は、切換スイッチにより、前記蓄電池の充電完了後にのみ前記扇風機に駆動電圧を給電するか、充電中でも前記扇風機に駆動電圧を選択的に給電することを特徴とする。
【００１１】
請求項５に係る考案は、請求項１から３のいずれか一項に記載の考案において、前記エアロバイク本体にＤＣ／ＡＣインバータを設け、前記制御部は、切換スイッチにより前記蓄電池の充電完了後にのみ前記ＤＣ／ＡＣインバータに駆動電圧を給電するか、充電中でも前記ＤＣ／ＡＣインバータに駆動電圧を選択的に給電することを特徴とする。
【考案の効果】
【００１２】
本考案によれば、充電完了までの時間を把握することができる。また、充電完了後の余剰電力を有効活用することができる。
【図面の簡単な説明】
【００１３】
【図１】（ａ）は、本考案の一実施形態に係るエアロバイク型発電機の外観斜視図であり、（ｂ）は、（ａ）に示したエアロバイク型発電機の操作部の上面図の一例である。
【図２】（ａ）は、図１（ａ）に示したエアロバイク型発電機の側面図であり、（ｂ）は図１（ａ）に示したエアロバイク型発電機の正面図である。
【図３】図１（ａ）に示したエアロバイク型発電機のブロック図の一例である。
【図４】図３に示したブロック図における切換回路の具体的な回路図の一例である。
【図５】図１（ａ）に示したエアロバイク型発電機で充電される蓄電池の充電電圧と時間との関係を示す特性曲線の一例である。
【図６】図１（ａ）に示したエアロバイク型発電機の動作を説明するためのフローチャートの一例である。
【考案を実施するための形態】
【００１４】
以下に本考案の一実施形態について、図面を参照して詳細に説明する。尚、本実施の形態では、エアロバイク型発電機を複数の人が交代で発電を行う場合を想定しているが、１人の人が発電を行っても良い。
【００１５】
＜エアロバイク型発電機の構成＞
図１〜図６を参照してエアロバイク型発電機の構成を説明する。図１（ａ）は、本考案の一実施形態に係るエアロバイク型発電機の外観斜視図であり、図１（ｂ）は、図１（ａ）に示したエアロバイク型発電機の操作部の上面図の一例である。図２（ａ）は、図１（ａ）に示したエアロバイク型発電機の側面図であり、図２（ｂ）は図１（ａ）に示したエアロバイク型発電機の正面図である。図３は、図１（ａ）に示したエアロバイク型発電機のブロック図の一例である。図４は、図３に示したブロック図における切換部の具体的な回路図の一例である。図５は、図１（ａ）に示したエアロバイク型発電機で充電される蓄電池の充電電圧と時間との関係を示す特性曲線の一例である。図６は、図１（ａ）に示したエアロバイク型発電機の動作を説明するためのフローチャートの一例である。尚、本実施形態では発電機が直流発電機の場合で説明する。
【００１６】
図１（ａ）、図２（ａ）、（ｂ）、図３に示すエアロバイク型発電機１０は、主にエアロバイク本体１１と、エアロバイク本体１１内に設けられ、ペダル１８Ｌ、１８Ｒの回転に連動して発電する発電機５３と、入力端が発電機５３の出力端に接続され、出力電流を制限する電流制限部６０と、電流制限部６０の出力端に接続された蓄電池の充電状態を検知し充電完了までの時間を予測する制御部としてのＣＰＵ７３と、蓄電池の充電状態及び充電完了予測時間を報知する報知部７２と、を有する。
エアロバイク本体１１の前端（図１（ａ）の左端）には、ほぼ垂直な方向に支柱１２が取り付けられ、エアロバイク本体１１の後端（図１（ａ）の右端）の上部にはシートピラー１６が取り付けられ、シートピラー１６の上端にはサドル１５が取り付けられている。
【００１７】
ここで、本実施形態では、蓄電池とは、携帯電話２７の蓄電池（リチウムイオン電池）、ニッケル水素蓄電池、及び鉛蓄電池等の二次電池を意味する。
【００１８】
支柱１２の上端には操作盤１３及びハンドルバー１４が取り付けられている。
【００１９】
図１（ｂ）に示す操作盤１３の上面前端には扇風機２１の支柱２２が取り付けられており、操作盤１３には速度計２３、表示部２４、ニッケル水素蓄電池の電池ボックス２５、発音部２９（スピーカ及び音声合成集積回路）、携帯電話用クレードル２６、携帯電話用コネクタ３１、ＬＥＤ群２８、扇風機ＯＮ／ＯＦＦスイッチ３０、スイッチ群３２等が配置されている。操作盤１３の下端には、公知の脈拍センサ３３を接続するための脈拍センサ用コネクタ３４が配置されている。
【００２０】
ここで、扇風機２１は、エアロバイク型発電機の使用者が運転中（発電中でもある。）に発汗したときに、使用者の発汗を抑圧することができ、爽快感を得ることができる。尚、充電が完了する前に使用すると、充電時間が延長されてしまうのはいうまでもない。
【００２１】
速度計２３は、ペダル１８Ｌ、１８Ｒの回転を実際の自転車のペダルの回転に換算した場合の速度を表示するようになっている。
表示部２４は、例えば、液晶パネルが用いられ、充電完了までの時間と、使用者の脈拍の異常の有無や警告と、充電中もしくは充電完了後の蓄電池の種類、ＤＣ／ＡＣインバータのＯＮ／ＯＦＦ、扇風機のＯＮ／ＯＦＦ、発電出力（Ｗ数）、等の情報や、「遅すぎます」、「速すぎます」、「このペースを維持してください」、「がんばれ」、「交代まであと１０分」等の文字メッセージを表示する。
蓄電池としてのニッケル水素蓄電池の電池ボックス２５は、例えば図示しない単三型ニッケル水素蓄電池を５本収納し、直列接続して充電するようになっている。
発音部２９は、充電開始音、充電完了音、警告音、「脈が所定値を超えています。直ちに停止してください。」、「遅すぎます」、「速すぎます」、「このペースを維持してください」、「がんばれ」、「交代まであと１０分」等の音声メッセージを発生するようになっている。これらの音声メッセージや文字メッセージのデータは、ＲＯＭ７４に記憶されている。
【００２２】
エアロバイク本体１１の後端側面には外部機器用コンセント４０、及び鉛蓄電池充電用コネクタ４１が配置されている。外部機器用コンセント４０は、日本国内で使用する場合には、例えば、ＪＩＳ  Ｃ  ８３０３−１９９３に規定された形状が挙げられる。
蓄電池としての鉛蓄電池４３としては、例えば６Ｖのものが挙げられる。
エアロバイク本体１１及び支柱１２の下端には脚部１９、２０がそれぞれ取り付けられている。
【００２３】
図３に示すブロック図において、クランク１７Ｌ、１７Ｒの中心と同軸のチェーンホイール５０にチェーン５１が巻き渡されたスプロケット５２に直流電圧を発生する発電機５３とフライホイール５４とが同軸に接続されている。スプロケット５２にはペダル１８Ｌ、１８Ｒを逆回転させたときに空転するように内部にラチェット機構が設けられている。フライホイール５４は、回転数を安定化させるためのものである。これらにより、発電機からの出力電圧が安定化される。
【００２４】
発電機５３の出力端は、電流制限部６０の入力端及びＡ／Ｄ変換器５５の入力端に接続されている。
電流制限部６０の出力端は切換部６２の入力端に接続され、切換部６２の出力端は逆流防止用の保護ダイオードを介して携帯電話充電用コネクタ３１、ニッケル水素蓄電池用の電池ボックス２５、鉛蓄電池充電用コネクタ４１、及びＤＣ／ＡＣインバータ６７の入力端に接続されている。ＤＣ／ＡＣインバータ６７の出力端は外部機器用コンセント４０に接続されている。切換部６２の出力端は、ＯＮ／ＯＦＦスイッチ３０を介して扇風機２１に接続されている。Ａ／Ｄ変換器５５の出力端はバスライン７０に接続されている。
【００２５】
ＤＣ／ＡＣインバータ６７は、例えば、５０Ｈｚ１００Ｖの交流電流を出力するようになっているが、本発明は限定されるものではない。
【００２６】
切換部６２は、バスライン７０を介して操作部７１、ＣＰＵ（Ｃｅｎｔｒａｌ  Ｐｒｏｃｅｓｓｉｎｇ  Ｕｎｉｔ）７３、ＲＯＭ（Ｒｅａｄ  Ｏｎｌｙ  Ｍｅｍｏｒｙ）７４、ＲＡＭ（Ｒａｎｄｏｍ  Ａｃｃｅｓｓ  Ｍｅｍｏｒｙ）７５、脈拍センサ３３、及び計測部７７に接続されている。
【００２７】
操作部７１は、スイッチ群３２、及び報知部７２を有し、報知部７２は、表示部２４、ＬＥＤ群２８、及び発音部２９を有する。
【００２８】
ＣＰＵ７３は、エアロバイク型発電機１０を統括制御する回路であり、例えばマイクロプロセッサが挙げられる。
【００２９】
ＲＯＭ７４は、制御プログラム、表示データ（文字、音声）を記憶した回路であり、例えばマスクＲＯＭが挙げられる。
【００３０】
ＲＡＭ７５は、データを一時的に記憶する回路であり、例えば、フラッシュメモリが挙げられる。
【００３１】
脈拍センサ３３は、ユーザの耳たぶに挟んで赤外線を発光部から照射し、受光部で透過した赤外線を受光するセンサを有する公知の脈拍センサが挙げられる。
【００３２】
計測部７７は、発電機５３で発電された電圧を計測する回路である。
【００３３】
図４は、図３に示した切換部６２のブロック図の一例である。
切換部６２は、複数の双極単投型のリレー６３ａ〜６３ｅと、各リレー６３ａ〜６３ｅを駆動するＮＰＮ型のバイポーラトランジスタ６５ａ〜６５ｅと、各リレー６３ａ〜６３ｅで発生する逆起電力から各電子回路を保護する保護ダイオード６４ａ〜６４ｅと、ベース抵抗６６ａ〜６６ｅと、を有する（ＰＮＰ型のバイポーラトランジスタもしくはＭＯＳトランジスタで構成してもよい。）。
【００３４】
各リレー６３ａ〜６３ｅのコイルの一端（図では上端）は電流制限回路６０に接続され、他端（この場合下端）は、各バイポーラトランジスタ６５ａ〜６５ｅのコレクタに接続されている。各バイポーラトランジスタ６５ａ〜６５ｅのエミッタは接地され、ベースはベース抵抗６６ａ〜６６ｅを介してバスライン７０経由でＣＰＵ７３に接続されている。
【００３５】
リレー６３ａの両可動切片は、携帯電話充電用コネクタ６３に接続され、リレー６３ａの一方（図では右側）の固定切片は電流制限回路６０に接続されており、リレー６３ａの他方の固定切片は計測部７７に接続されている。
【００３６】
リレー６３ｂの両可動切片は、ニッケル水素蓄電池用の電池ボックス２５に接続され、リレー６３ｂの一方（図では右側）の固定切片は電流制限回路６０に接続されており、リレー６３ｂの他方の固定切片は計測部７７に接続されている。
【００３７】
リレー６３ｃの両可動切片は、鉛蓄電池充電用コネクタ４１に接続され、リレー６３ｃの一方（図では右側）の固定切片は電流制限回路６０に接続されており、リレー６３ｃの他方の固定切片は計測部７７に接続されている。
【００３８】
リレー６３ｄの両可動切片は、扇風機２１用のスイッチ３０に接続され、リレー６３ｄの一方（図では右側）の固定切片は電流制限回路６０に接続されており、リレー６３ｄの他方の固定切片は計測部７７に接続されている。
【００３９】
リレー６３ｅの両可動切片は、ＤＣ／ＡＣインバータ６７に接続され、リレー６３ｅの一方（図では右側）の固定切片は電流制限回路６０に接続されており、リレー６３ｅの他方の固定切片は計測部７７に接続されている。
【００４０】
図５は、一般的な蓄電池の充電時間と電圧との関係を示す図である。
同図において、横軸が時間を示し、縦軸が電圧を示している。
Ｔｃは充電時間であり、Ｔｆは充電完了時間であり、Ｖｃは充電電圧であり、Ｖｆは充電完了電圧（例えば、ニッケル水素蓄電池の場合、１本当たり１．２Ｖ）である。
通常、蓄電池の充電放電特性は、使用回数（充電回数）の増加に伴って特性曲線の立ち上がりかたが低下してくるが、最大使用回数（例えば、５００回）までは同一であるとして説明する。
充電予測時間は、現在の時刻において、図５のＴｃであったとすると、ΔＴ（＝Ｔｆ−Ｔｃ）（分）後に充電完了するので、「充電完了まであとΔＴ（分）」であることが言える。この充電電圧と充電時間との関係を、例えば、ＲＯＭ７４の中にデータとして記憶させておけばよい。
計測部７７で得られた電圧とＲＯＭ７４から読み出したデータとをつきあわせることで充電完了時間を把握することができる。データとしては、ニッケル水素蓄電池、鉛蓄電池、携帯端末用蓄電池（リチウムイオン電池）の充電データが挙げられる。ここで、リチウムイオン電池の充電を行う場合には、電流制限部だけでなく、電圧制限部も必要であるが、説明を簡略化するため、省略する。
【００４１】
＜エアロバイク型発電機の動作＞
図６は、図１に示したエアロバイク型発電機の動作を説明するためのフローチャートの一例である。
図６に示したフローチャートにおいて、動作の主体は、ＣＰＵ７３である。
まず、ＣＰＵ７３は、電池ボックス２５、コネクタ４１に接続された全ての蓄電池の充電完了後に扇風機２１を駆動するためのスイッチが押されたか否かを判断し（ステップＳ１）、扇風機２１駆動用のスイッチが押されたと判断した場合（ステップＳ１／Ｙｅｓ）、全ての蓄電池の充電完了後にＤＣ／ＡＣインバータ６７を駆動するためのスイッチが押されたか否かを判断する（ステップＳ２）。
ＣＰＵ７３は、ＤＣ／ＡＣインバータ６７駆動用のスイッチが押された場合（ステップＳＳ２／Ｙｅｓ）、切換部６２のリレー６３ａ〜６３ｅのうちのリレー６３ａのみ駆動して携帯電話の充電を開始する（ステップＳ３）。
【００４２】
ＣＰＵ７３は、携帯電話の充電が完了したか否かを判断する（ステップＳ５）。
ＣＰＵ７３は、携帯電話の充電中、すなわち充電が完了していない場合（ステップＳ５／Ｎｏ）、充電完了までの残り時間を表示部２４で表示して充電を継続する（ステップＳ４、Ｓ５）。携帯電話の充電が完了した場合（ステップＳ５／Ｙｅｓ）、充電完了の報知を行い（ステップＳ６）、切換部６２のリレー６３ａ〜６３ｅのうちのリレー６３ｂのみ駆動してニッケル水素蓄電池の充電を開始する（ステップＳ７）。
【００４３】
ＣＰＵ７３は、ニッケル水素蓄電池の充電が完了したか否かを判断する（ステップＳ９）。
ＣＰＵ７３は、ニッケル水素蓄電池の充電が完了していない場合（ステップＳ９／Ｎｏ）、充電までの残り時間を表示部２４で表示して充電を継続する（ステップＳ８、Ｓ９）。ニッケル水素蓄電池の充電が完了した場合（ステップＳＳ９／Ｙｅｓ）、充電完了の報知を行い（ステップＳ１０）、切換部６２のリレー６３ａ〜６３ｅのうちのリレー６３ｃのみ駆動して鉛蓄電池の充電を開始する（ステップＳ１１）。
【００４４】
ＣＰＵ７３は、鉛蓄電池の充電が完了したか否かを判断する（ステップＳ１３）。
ＣＰＵ７３は、鉛蓄電池の充電中、すなわち充電が完了していない場合（ステップＳ１２／Ｎｏ）、充電完了までの残り時間を表示部２４で表示して充電を継続する（ステップＳ１２、Ｓ１３）。鉛蓄電池の充電が完了した場合（ステップＳ１３／Ｙｅｓ）、充電完了の報知を行い（ステップＳ１４）、切換部６２のリレー６３ａ〜６３ｅのうちのリレー６３ｄのみ駆動して扇風機２１への発電機５３のみからの給電を開始する（ステップＳ１５）。このとき、扇風機２１の駆動用スイッチがＯＮであれば扇風機２１は駆動してエアロバイク型発電機１０の使用者に向けて送風する。
【００４５】
ＣＰＵ７３は、ＤＣ／ＡＣインバータ６７への発電機５３のみからの給電を開始する（ステップＳ１７）。このとき、ＤＣ／ＡＣインバータ６７のコネクタ４０に外部機器（例えば、電気ポット、コーヒーメーカー、ラジオ、テレビジョン等の家電製品）を接続して稼働させることができる。
ここで、扇風機２１及びＤＣ／ＡＣインバータ６７への給電は、蓄電池からではなく、発電機５３のみから行われるようになっている。
【００４６】
ＣＰＵ７３は、発電が継続しているか否かを判断する（ステップＳ１７）。ＣＰＵ７３は、発電が継続していると判断した場合（ステップＳ１７／Ｙｅｓ）は、ステップＳ１５に戻り、発電が継続していない、すなわち、発電が停止したと判断した場合（ステップＳ１７／Ｎｏ）、終了する。
【００４７】
ここで、全ての蓄電池の充電完了後に扇風機駆動するためのスイッチ３０がＯＮでない場合（ステップＳ１／Ｎｏ）、ＣＰＵ７３は、扇風機２１のスイッチ３０がＯＦＦか否かを判断する（ステップＳ２１）。
ＣＰＵ７３は、扇風機２１のスイッチがＯＦＦでない場合（ステップＳ２１／Ｎｏ）は、扇風機２１へ発電機５３から給電し（ステップＳ２２）、扇風機２１のスイッチがＯＦＦの場合（ステップＳ２１／Ｙｅｓ）、扇風機２１への給電は停止する（ステップＳ２３）。
【００４８】
また、全ての蓄電池の充電完了後にＤＣ／ＡＣインバータ６７を駆動するためのスイッチが押されなかった場合（ステップＳ２／Ｎｏ）、ＣＰＵ７３は、ＤＣ／ＡＣインバータ６７への給電をするためのスイッチ６８がＯＦＦの場合は、ＤＣ／ＡＣインバータ６７への給電は行われない。
【００４９】
以上において、本実施形態のエアロバイク型発電機１０は、表示部２４に蓄電池の充電完了までの時間が表示されるので、充電完了までの時間を把握することができる。また、原則として、蓄電池の充電完了後には扇風機２１やＤＣ／ＡＣインバータ６７に発電機から給電することができるので、発電機の余剰電力を有効活用することができる。
【００５０】
例えば、本願のエアロバイク型発電機は、病院のリハビリテーションセンターで患者のリハビリテーションに利用したり、公共の施設に設置して不特定多数の人が利用したりするように設置することができる。
【００５１】
なお、上述した実施の形態は、本発明の好適な実施の形態の一例を示すものであり、本発明はそれに限定されることなく、その要旨を逸脱しない範囲内において、種々変形実施が可能である。例えば、上述の説明では、ニッケル水素蓄電池や鉛蓄電池を充電する場合について説明したが、本発明ではこれに限定されず、ニッケルカドミウム蓄電池やカーボンリチウム蓄電池、バナジウムリチウム蓄電池、二酸化マンガンリチウム蓄電池、ポリアニリン・リチウム蓄電池にも適用可能である。
【００５２】
また、上述した説明では、充電の順番が携帯電話、ニッケル水素蓄電池、鉛蓄電池の場合で説明したが、本発明はこれに限定するものではない。
【００５３】
また、上述した説明では、エアロバイク型発電機が通常のエアロバイク形状であるが、本発明はこれに限定されるものではなく、タンデム型、リカベント型のいずれであってもよい。
ここで、リカベント型とは、エアロバイクのペダル部分だけを取り出した簡易的な機械を含む。
【００５４】
また、上述した説明では、脈拍センサからの信号処理については本願発明とは直接関係がないので触れていないが、これは通常のエアロバイクと同様に予め操作部１７のスイッチ群３２で年齢、性別を入力しておき、所定の脈拍数が所定の範囲を超えた場合に警告音もしくは警告メッセージを発生するようになっている。
【００５５】
また、上述した説明では、発電機として直流発電機の場合で説明したが、本発明はこれに限定されるものではなく、交流発電機を用いて整流回路で整流し、平滑回路で平滑化を行っても良い。
【００５６】
また、上述した説明では、切換部にリレーを用いたが、トランジスタによるスイッチング回路を構成してもよい。
【符号の説明】
【００５７】
１０    エアロバイク型発電機
１１    エアロバイク本体
１２、２２    支柱
１３    操作盤
１４    ハンドルレバー
１５    サドル
１６    シートピラー
１７Ｌ、１７Ｒ    クランク
１８Ｌ、１８Ｒ    ペダル
１９、２０    脚部
２１    扇風機
２３    速度計
２４    表示部
２５    電池ボックス
２６    携帯電話用クレードル
２７    携帯電話
２８    ＬＥＤ群
２９    発音部
３０、６８    スイッチ
３１    携帯電話用コネクタ
３２    スイッチ群
３３    脈拍センサ
３４    脈拍センサ用コネクタ
４０    外部機器用コンセント
４１    鉛蓄電池充電用コネクタ
５０    チェーンホイール
５１    チェーン
５２    スプロケット
５３    発電機
５４    フライホール
６０    電流制限部
６２    切換部
６３ａ〜６３ｅ    リレー
６４ａ〜６４ｅ    保護ダイオード
６５ａ〜６５ｅ    バイポーラトランジスタ
６６ａ〜６６ｅ    ベース抵抗
６７    ＤＣ／ＡＣインバータ
７０    バスライン
７１    操作部
７２    報知部
７３    ＣＰＵ
７４    ＲＯＭ
７５    ＲＡＭ
７７    計測部
【図１】
0003169726.tif 000003
【図２】
0003169726.tif 000004
【図３】
0003169726.tif 000005
【図４】
0003169726.tif 000006
【図５】
0003169726.tif 000007
【図６】
0003169726.tif 000008